(57)【要約】【課題】潰瘍や褥瘡を発症させることなく、カテーテル等の医療器具を優れた操作性で良好に固定し得るフィルムドレッシングを提供すること。【解決手段】フィルム基材と、該フィルム基材の一方の面に設けられた粘着剤層と、該粘着剤層の表面を覆って剥離可能に積層された剥離ライナーと、該フィルム基材の他方の面を覆って剥離可能に積層されたキャリアとを有する、フィルムドレッシングであって、該キャリアには、該キャリアをキャリア第１部分とキャリア第２部分とに分断するキャリア分断部が設けられ、該剥離ライナーには、該剥離ライナーを剥離ライナー第１部分と剥離ライナー第２部分とに分断する第１の剥離ライナー分断部と、剥離ライナー第２部分と剥離ライナー第３部分とに分断する第２の剥離ライナー分断部が間隔を隔てて設けられ、該剥離ライナー第２部分の幅α２が、固定対象器具の外周長以上である、フィルムドレッシング。【選択図】図１
2011004850.tif 000002
【特許請求の範囲】
【請求項１】
フィルム基材と、該フィルム基材の一方の面に設けられた粘着剤層と、該粘着剤層の表面を覆って剥離可能に積層された剥離ライナーと、該フィルム基材の他方の面を覆って剥離可能に積層されたキャリアとを有する、フィルムドレッシングであって、
該キャリアには、該キャリアをキャリア第１部分とキャリア第２部分とに分断するキャリア分断部が設けられ、
該剥離ライナーには、該剥離ライナーを剥離ライナー第１部分と剥離ライナー第２部分とに分断する第１の剥離ライナー分断部と、剥離ライナー第２部分と剥離ライナー第３部分とに分断する第２の剥離ライナー分断部が間隔を隔てて設けられ、
該剥離ライナー第２部分の幅α２が、固定対象器具の外周長以上である、フィルムドレッシング。
【請求項２】
前記第１の剥離ライナー分断部および第２の剥離ライナー分断部の延びる方向が、前記キャリア分断部の延びる方向と略平行である、請求項１に記載のフィルムドレッシング。
【請求項３】
前記キャリア分断部が、前記第１の剥離ライナー分断部と第２の剥離ライナー分断部との間に対応する部分に設けられている、請求項１または２に記載のフィルムドレッシング。
【請求項４】
前記キャリア分断部が、前記第１の剥離ライナー分断部と第２の剥離ライナー分断部との間の略中央に対応する部分に設けられている、請求項３に記載のフィルムドレッシング。
【請求項５】
前記剥離ライナー第２部分の幅α２が、前記固定対象器具の外周長をＬとしたときに、
α２＝Ｌ＋２ａ、かつ、０≦ａ≦２    （単位：ｃｍ）
の関係を満たす、請求項１から４のいずれかに記載のフィルムドレッシング。
【請求項６】
請求項１から５のいずれかに記載のフィルムドレッシングを用いた器具の固定方法であって、
剥離ライナー第２部分を剥離し、これにより露出する粘着剤層面を固定対象器具の外周に貼付すること、
剥離ライナー第１部分および剥離ライナー第３部分を剥離し、これにより露出する粘着剤層面を固定対象部位に貼付すること、および
キャリア第１部分およびキャリア第２部分を剥離することを含む、器具の固定方法。
【発明の詳細な説明】
【技術分野】
【０００１】
本発明は、フィルムドレッシングに関する。より詳細には、本発明は、操作性に優れ、かつ、カテーテル等の医療器具を良好に固定し得るフィルムドレッシングに関する。
【背景技術】
【０００２】
カテーテル等の医療器具の固定用として、フィルムドレッシングが広く用いられている。図６に例示されるように、フィルムドレッシング２００は、通常、フィルム基材８０と、フィルム基材８０の一方の面に設けられた粘着剤層８１と、粘着剤層８１を保護する剥離ライナー８２と、フィルム基材８０の他方の面に設けられ、フィルム基材８０を保形するキャリア８３とを有する。さらには、操作性を向上させるために、キャリアや剥離ライナーに切り込みを設けることや、掴みしろとなるフラップを設けることが提案されている（特許文献１）。
【０００３】
このようなフィルムドレッシング２００を用いてカテーテル等の医療器具を固定する場合、剥離ライナー８２を剥離し、これにより露出する粘着剤層８１をカテーテルに覆い被せるようにして生体表面へ貼付し、次いで、キャリア８３を剥離する。このような固定方法によれば、図７に示すように、フィルム基材８０と粘着剤層８１との積層体８４によって生体表面の固定対象部位ＢにカテーテルＡが押し付けられるので、押し付けられた部位（図７ではＸ部として例示される）に潰瘍や褥瘡を発症する場合がある。また、カテーテルの側面に空隙が生じ、カテーテルが動くことによってフィルムドレッシングに浮きや剥がれが生じる場合がある。
【先行技術文献】
【特許文献】
【０００４】
【特許文献１】特開２００８−２６４１７０号公報
【発明の概要】
【発明が解決しようとする課題】
【０００５】
本発明は上記従来の課題を解決するためになされたものであり、その目的とするところは、潰瘍や褥瘡を発症させることなく、カテーテル等の医療器具を優れた操作性で良好に固定し得るフィルムドレッシングを提供することにある。
【課題を解決するための手段】
【０００６】
本発明によれば、フィルムドレッシングが提供される。該フィルムドレッシングは、フィルム基材と、該フィルム基材の一方の面に設けられた粘着剤層と、該粘着剤層の表面を覆って剥離可能に積層された剥離ライナーと、該フィルム基材の他方の面を覆って剥離可能に積層されたキャリアとを有する、フィルムドレッシングであって、該キャリアには、該キャリアをキャリア第１部分とキャリア第２部分とに分断するキャリア分断部が設けられ、該剥離ライナーには、該剥離ライナーを剥離ライナー第１部分と剥離ライナー第２部分とに分断する第１の剥離ライナー分断部と、剥離ライナー第２部分と剥離ライナー第３部分とに分断する第２の剥離ライナー分断部が間隔を隔てて設けられ、該剥離ライナー第２部分の幅α２が、固定対象器具の外周長以上である。
好ましい実施形態によれば、上記第１の剥離ライナー分断部および第２の剥離ライナー分断部の延びる方向が、上記キャリア分断部の延びる方向と略平行である。
好ましい実施形態によれば、上記キャリア分断部が、上記第１の剥離ライナー分断部と第２の剥離ライナー分断部との間に対応する部分に設けられている。
好ましい実施形態によれば、上記キャリア分断部が、上記第１の剥離ライナー分断部と第２の剥離ライナー分断部との間の略中央に対応する部分に設けられている。
好ましい実施形態によれば、上記剥離ライナー第２部分の幅α２が、上記固定対象器具の外周長をＬとしたときに、
α２＝Ｌ＋２ａ、かつ、０≦ａ≦２    （単位：ｃｍ）
の関係を満たす。
本発明の別の局面によれば、上記フィルムドレッシングを用いた器具の固定方法が提供される。該器具の固定方法は、剥離ライナー第２部分を剥離し、これにより露出する粘着剤層面を固定対象器具の外周に貼付すること、剥離ライナー第１部分および剥離ライナー第３部分を剥離し、これにより露出する粘着剤層面を固定対象部位に貼付すること、およびキャリア第１部分およびキャリア第２部分を剥離することを含む。
【発明の効果】
【０００７】
本発明のフィルムドレッシングによれば、剥離ライナーおよびキャリアに所定の分断部を設けることにより、カテーテル等の医療器具を優れた操作性で良好に固定し得、かつ、潰瘍や褥瘡の発症リスクを著しく低減し得る。具体的には、剥離ライナーに、第１の剥離ライナー分断部と第２の剥離ライナー分断部とを設けて、剥離ライナー第１部分〜第３部分を形成し、剥離ライナー第２部分の幅を固定対象器具の外周長以上とすることにより、剥離ライナー第２部分を剥離して露出する粘着剤層面を固定対象器具の外周に巻きつけ、次いで、残った剥離ライナー第１部分および第３部分を剥離して露出する粘着剤層面を生体表面に貼付することができる。このように、予め固定対象器具の外周を被覆してから固定対象部位に貼付することにより、固定対象器具を生体表面に押し付けることなく固定し得るので、潰瘍や褥瘡の発症リスクが著しく低減され得る。また、固定対象器具の側面に空隙が生じないので、固定対象器具を良好に固定し得る。また、剥離ライナー第１部分および剥離ライナー第３部分が、固定対象器具の外周を被覆する際の持ちしろとして機能すると共に、これらを剥離することにより、フィルム基材と粘着剤層との積層体（以下、「フィルムドレッシング本体」と称する場合がある）を生体表面に貼付するための糊しろが提供されるので、操作性にきわめて優れる。
【０００８】
さらに、本発明によれば、キャリアにキャリア分断部を設けてキャリア第１部分とキャリア第２部分とに分断する。これにより、フィルム基材の湾曲に応じてキャリア第１部分とキャリア第２部分とが部分的にフィルム基材から剥離し得るので、固定対象器具の外周を容易に被覆することができる。また、キャリアの剥離した部分は掴みしろとして機能し、残りのキャリアを容易に剥離し得るので、操作性にきわめて優れる。
【図面の簡単な説明】
【０００９】
【図１】（ａ）本発明の好ましい実施形態によるフィルムドレッシングの概略側面図である。（ｂ）本発明の別の好ましい実施形態によるフィルムドレッシングの概略側面図である。
【図２】図１（ａ）のフィルムドレッシングの分解斜視図である。
【図３】（ａ）〜（ｃ）はそれぞれ、分断部の描くパターンの一例を示す概略図である。
【図４】（ａ）〜（ｃ）はそれぞれ、キャリア分断部の実施形態の一例を示す概略側面図である。
【図５】本発明のフィルムドレッシングの使用形態を説明する概略図である。
【図６】従来のフィルムドレッシングの概略側面図である。
【図７】図６のフィルムドレッシングの使用時の一例を示す概略図である。
【発明を実施するための形態】
【００１０】
以下、本発明の好ましい実施形態について図面を参照しながら説明するが、本発明はこれらの具体的な実施形態には限定されない。
【００１１】
Ａ．フィルムドレッシングの全体構成
図１（ａ）は、本発明の好ましい実施形態によるフィルムドレッシングの概略側面図であり、図１（ｂ）は、本発明の別の好ましい実施形態によるフィルムドレッシングの概略側面図である。図２は、図１（ａ）のフィルムドレッシングの分解斜視図である。なお、見やすくするために、図１（ａ）および（ｂ）ならびに図２における各層および各部分の縦、横および厚みの比率は実際とは異なって記載されていることに留意されたい。図１（ａ）に示すように、フィルムドレッシング１００は、フィルム基材１０と、該フィルム基材１０の一方の面に設けられた粘着剤層２０と、該粘着剤層２０の表面を覆って剥離可能に積層された剥離ライナー３０と、該フィルム基材１０の他方の面を覆って剥離可能に積層されたキャリア４０とを有する。剥離ライナー３０には、該剥離ライナー３０を剥離ライナー第１部分３１と剥離ライナー第２部分３２とに分断する第１の剥離ライナー分断部３０ｄ１と、剥離ライナー第２部分３２と剥離ライナー第３部分３３とに分断する第２の剥離ライナー分断部３０ｄ２が間隔を隔てて設けられる。ここで、剥離ライナー第２部分３２の幅α２は、固定対象器具の外周長以上である。キャリア４０には、該キャリア４０をキャリア第１部分４１とキャリア第２部分４２とに分断するキャリア分断部４０ｄが設けられる。図１（ｂ）に示すように、フィルムドレッシング１００’は、上記構成に加えて、接着剤層７０を介してキャリア４０に接合されたフラップ部６０をさらに有し得る。
【００１２】
本発明のフィルムドレッシングは、定尺品（カット品）であっても、長尺品（ロール状品）であってもよい。フィルムドレッシングの平面視形状としては、目的に応じて任意の適切な形状が採用され得る。例えば、定尺品においては、方形、円形、楕円形、異型等の任意の形状が採用され得る。方形が採用される場合、その角部には、丸みがつけられていてもよい。フィルムドレッシングの寸法は、目的に応じて任意の適切な寸法が採用され得る。定尺品の代表的な寸法は、幅が５０〜１００ｍｍ、長さが８０〜２５０ｍｍ程度である。長尺品の代表的な寸法は、帯幅が５０〜１５０ｍｍ程度である。
【００１３】
本発明のフィルムドレッシングには、放射線、滅菌ガス等による滅菌処理が施され得る。フィルムドレッシングの包装としては、滅菌袋に個包装であってもよく、バルク包装であってもよい。
【００１４】
Ｂ．フィルム基材
フィルム基材１０としては、フィルムドレッシングに使用可能である限りにおいて、任意の適切なフィルムが採用され得る。代表的には、可撓性を有し、皮膚などの生体表面に障害を与えないフィルムが採用され得る。そのようなフィルムの材料の具体例としては、アクリル重合体、ポリエチレン、エチレン−酢酸ビニル共重合体、ポリウレタン、ポリエーテルポリエステルおよびポリアミド誘導体が挙げられる。なかでも、アクリル重合体、ポリウレタン、ポリエーテルポリエステルおよびポリアミド誘導体が好ましい。フィルムの水蒸気透過性に優れているので、被覆した皮膚の呼吸を妨げることが少なく、かつ、皮膚の白化現象を抑制することができ、さらには、優れた透明性を有しているので貼付場所を見ながら貼付することができるからである。
【００１５】
フィルム基材１０の厚みとしては、目的や用途に応じて任意の適切な厚みが採用され得る。フィルム基材の厚みは、好ましくは１０〜１５０μｍであり、さらに好ましくは２０〜７５μｍである。このような厚みであれば、生体表面（例えば、皮膚）の凹凸への追従性に優れ、フィルムドレッシングの基材として良好に機能し得る。
【００１６】
Ｃ．粘着剤層
粘着剤層２０を構成する粘着剤としては、生体表面に貼り付けて使用可能である限りにおいて任意の適切な粘着剤が採用され得る。このような粘着剤の具体例としては、天然ゴム系、合成ゴム系、アクリル系、シリコーン系等の粘着剤が挙げられる。なかでも、アクリル系粘着剤が好ましい。フィルムドレッシング全体の透明性をより高め、皮膚に与える刺激をより抑えることができるからである。
【００１７】
粘着剤層２０の厚みとしては、目的や用途に応じて任意の適切な厚みが採用され得る。粘着剤層の厚みは、好ましくは１０〜６０μｍであり、さらに好ましくは２０〜５０μｍである。このような厚みであれば、生体表面への密着性に優れるので、貼り付けられたフィルムドレッシング本体の浮きや剥がれが良好に防止され得る。
【００１８】
粘着剤層２０をフィルム基材の表面に設ける方法としては、任意の適切な方法が採用され得る。具体例としては、粘着剤組成物をフィルム上に塗布し乾燥させる方法、粘着剤組成物を所定の形状に成形した粘着剤層をフィルム基材上に積層する方法が挙げられる。
【００１９】
Ｄ．剥離ライナー
剥離ライナー３０としては、上記粘着剤層と良好に剥離し得る限りにおいて任意の適切な剥離ライナーが採用され得る。代表的には、剥離ライナーは、基体と、当該基体表面に形成された剥離処理層とを有する。基体の具体例としては、プラスチックフィルム（例えば、ポリエチレン、ポリプロピレン、ポリエステル、またはこれらの積層複合体）、紙（例えば、上質紙、クラフト紙等）が挙げられる。剥離処理層は、基体表面にシリコーン系樹脂処理やフッ素系樹脂処理等を施すことによって形成され得る。
【００２０】
剥離ライナー３０の厚みは、目的に応じて適切に設定され得る。剥離ライナーの厚みは、好ましくは５０〜２５０μｍであり、さらに好ましくは７５〜２００μｍである。
【００２１】
図１に例示されるとおり、剥離ライナー３０には、該剥離ライナー３０を剥離ライナー第１部分３１と剥離ライナー第２部分３２とに分断する第１の剥離ライナー分断部３０ｄ１と、剥離ライナー第２部分３２と剥離ライナー第３部分３３とに分断する第２の剥離ライナー分断部３０ｄ２とが間隔を隔てて設けられる。
【００２２】
第１の剥離ライナー分断部および第２の剥離ライナー分断部はそれぞれ、剥離ライナーの外周の任意の箇所から出発し、剥離ライナーの外周の対向側へ達することが好ましい。第１の剥離ライナー分断部および第２の剥離ライナー分断部が描くパターンとしては、それぞれ任意の適切なパターンが採用され得る。具体例としては、図３（ａ）に例示されるような直線状、図３（ｂ）に例示されるような波線状、図３（ｃ）に例示されるようなジグザグ線状等のパターンが挙げられる。好ましくは、第１の剥離ライナー分断部が描くパターンと第２の剥離ライナー分断部が描くパターンとは、略線対称である。剥離ライナー第２部分を容易に剥離し得ると共に、固定対象器具の外周を被覆する際に、余った粘着剤層表面同士を容易に貼り合わせることができるからである。
【００２３】
第１の剥離ライナー分断部および第２の剥離ライナー分断部の延びる方向は、好ましくは略平行である。剥離ライナー第２部分を容易に剥離し得ると共に、固定対象器具の外周を被覆する際に、余った粘着剤層表面同士を容易に貼り合わせることができるからである。なお、本明細書において、２つの分断部の延びる方向が略平行であるとは、２本の平行線を含む概念であって、２つの分断部が波動的なパターンであっても、それぞれが面内を伝播する方向が総じて互いに同じであることを意味する。したがって、例えば、２つの分断部がそれぞれサイン波を描いており、各波線を局所的に比べると、位相がずれているために厳密には平行であるとは言えない場合であっても、全体を見た場合に同じような方向に延びているのであれば、該２つの分断部の延びる方向は略平行ということができる。
【００２４】
上記第１の剥離ライナー分断部と第２の剥離ライナー分断部との間隔、すなわち、剥離ライナー第２部分３２の幅α２は、固定対象器具の外周長以上である。このような構成とすることにより、例えば、カテーテルを生体表面に固定する際に、まず、剥離ライナー第２部分を剥離してカテーテルの外周を被覆し、次いで、剥離ライナー第１部分および剥離ライナー第３部分を剥離して生体表面に貼付することが可能となる。すなわち、剥離ライナー第１部分および剥離ライナー第３部分が、カテーテルの外周を被覆する際の持ちしろとして機能し、その後、これらを剥離すると、生体表面へ貼付するための糊しろが提供されるので、作業性が格段に向上し得るとともに、カテーテルを良好に固定し得る。なお、第１の剥離ライナー分断部と第２の剥離ライナー分断部との間隔が一定でない場合（例えば、分断部が描くパターンがジグザグ線である場合）、該幅α２は、該間隔の最短の長さを意味する。
【００２５】
上記剥離ライナー第２部分の幅α２は、前記固定対象器具の外周長をＬ（ｃｍ）としたときに、好ましくはα２＝Ｌ＋２ａ、かつ、０≦ａ≦２  （単位：ｃｍ）の関係を満たす。該関係において、さらに好ましくは０．５≦ａ≦１である。このような関係を満たす場合、固定対象器具の外周を被覆する際の持ちしろ、および固定対象部位に貼付する際の糊しろが十分かつ適度に確保されるので、操作性に優れる。さらには、固定対象部位が器具に圧迫されないので、潰瘍や褥瘡の発症リスクが低減され得る。
【００２６】
上記剥離ライナー第１部分の幅α１および剥離ライナー第３部分の幅α３は、フィルムドレッシングの寸法等に応じて適切に設定され得る。α１およびα３は、それぞれ好ましくは１ｃｍ以上、さらに好ましくは２ｃｍ以上である。このような幅であれば、固定対象器具の外周を被覆する際の持ちしろとして十分に機能し得ると共に、固定対象部位に貼付する際の糊しろが十分に確保され得る。α１およびα３は、それぞれ異なっていてもよく、同じであってもよい。操作性の観点から、好ましくは、α１およびα３は同じである。したがって、例えば、方形のフィルムドレッシングにおいては、好ましくは、第１の剥離ライナー分断部および第２の剥離ライナー分断部は、剥離ライナーの外周の対向する２辺からそれぞれ等距離の場所に略平行に設けられる。
【００２７】
剥離ライナー分断部は、任意の適切な方法によって形成され得る。例えば、剥離ライナー分断部は、粘着剤層上にその表面を連続して覆うように１枚の剥離ライナーを積層後、切り込みを入れることによって形成され得る。また、例えば、それぞれ剥離ライナー第１部分から第３部分に対応する３枚の剥離ライナーを並べて粘着剤層上に積層してもよい。
【００２８】
Ｅ．キャリア
キャリア４０は、フィルムドレッシング本体に剛性および形状保持性を与え、取り扱い性を改善するための支持体層である。キャリアを用いることにより、貼り付け操作の際のフィルムドレッシングの浮きを抑制することができる。さらに、キャリアは、使用前にフィルムドレッシングに傷がついたり破損したりすることを防ぎ、当該ドレッシングが滅菌処理された場合には、フィルム表面を無菌状態に長く保つ保護層としても機能する。
【００２９】
キャリア４０は、目的に応じて任意の適切な材料で構成され得る。そのような材料の具体例としては、プラスチックフィルム（例えば、ポリエチレン、ポリプロピレン、ポリエステル、またはこれらの積層複合体）、紙（例えば、上質紙、クラフト紙等）が挙げられる。透明性を有するプラスチックフィルムが好ましい。貼付場所を見ながら貼付することができ、カテーテル等の医療器具を固定する際には、その有用性が特に顕著となるからである。
【００３０】
キャリア４０の厚みは、用途や構成材料に応じて変化し得る。キャリアの厚みは、好ましくは１５〜２００μｍであり、さらに好ましくは２０〜１００μｍである。
【００３１】
図１に例示されるとおり、キャリア４０には、該キャリア４０をキャリア第１部分４１とキャリア第２部分４２とに分断するキャリア分断部４０ｄが設けられる。上記のとおり、キャリアは、フィルムドレッシング本体に剛性および形状保持性を与える支持体層であり、ある程度の剛性を有するので、固定対象器具の外周の湾曲に追従することが困難である。これに対し、本発明によれば、キャリア分断部が設けられるので、固定対象器具の外周を被覆する際にその湾曲に応じてキャリアがキャリア分断部を起点にしてフィルム基材から部分的に剥離し得る。これにより、フィルムドレッシング本体が固定対象器具の外周の湾曲に良好に追従するので、操作性が向上し得る。さらには、キャリアの剥離した部分が掴みしろとなるので、残りのキャリアを容易に剥離することができる。
【００３２】
上記キャリア分断部４０ｄは、必ずしも、最初からキャリア４０を完全に切断している必要はなく、キャリア４０を剥離する際に、該キャリア分断部４０ｄが境となって、キャリア４０が複数に分かれることが可能な態様であればよい。１つの実施形態においては、図４（ａ）に示すとおり、キャリア分断部４０ｄは、最初からキャリアを完全に分断しており、切れ込みは、キャリアの上面から入って下面に達している。別の実施形態においては、図４（ｂ）に示すとおり、キャリア分断部４０ｄは、キャリア４０を完全には分断しておらず、切れ込みがキャリア４０の上面から入って途中で止まっている。このような部分的な分断であっても、切れ込みの残部が薄く十分に脆弱であれば、キャリア４０は固定対象器具の外周の湾曲に応じてキャリア分断部４０ｄにおいて２つに分断され得る。
【００３３】
１つの実施形態においては、図４（ａ）および（ｂ）に示すとおり、キャリア第１部分とキャリア第２部分とは、キャリア分断部において互いに接触しており、キャリアを上面から見たときのキャリア分断部は線状である。また、別の実施形態においては、図４（ｃ）に示すとおり、キャリアは、幅βをもって、キャリア第１部分とキャリア第２部分とに分離されており、キャリアを上面から見たときのキャリア分断部は帯状である。キャリア分断部が線状である場合、フィルムドレッシング本体の形状保持性が優れるという利点を有し得る。また、キャリア分断部が帯状である場合、器具の固定性および器具の外周の湾曲への追従性がより向上するという利点を有し得る。
【００３４】
キャリア分断部が帯状である場合の上記幅βは、固定対象器具の外周長をＬとしたときに、β≦Ｌ／４の関係を満たすことが好ましい。該関係を満たさない場合には、固定対象器具の外周被覆時にキャリアが部分的に剥離してもその端部が掴みにくく、掴みしろとして機能しない場合がある。
【００３５】
キャリア分断部は、上記線状および帯状の態様に加えて、外観上は切れ込みが確認されないが、その部分の組織が機械強度的に十分に脆弱になっており、その脆弱なラインが分断部として作用するという態様であってもよく、これらの態様の任意の組み合わせであってもよい。
【００３６】
キャリア分断部は、キャリアの外周の任意の箇所から出発し、該キャリアの外周の対向側へ達することが好ましい。キャリア分断部が描くパターンとしては、それぞれ任意の適切なパターンが採用され得る。具体例としては、図３（ａ）に例示されるような直線状、図３（ｂ）に例示されるような波線状、図３（ｃ）に例示されるようなジグザグ線状等のパターンが挙げられる。単純な直線状のパターンは、カテーテル等の器具を固定する際の該器具部分の盛り上がりへの追従性が良好であり、また、波状等のパターンは、キャリアを分断部から剥離する際に、剥離し易いという利点を有し得る。
【００３７】
好ましい実施形態において、キャリア分断部は、上記第１の剥離ライナー分断部および第２の剥離ライナー分断部の延びる方向と略平行の方向に延びる。この場合、固定対象器具の外周を被覆する際にキャリアが容易に分断して部分的に剥離するので操作性が向上し得る。なお、上記のとおり、キャリア分断部ならびに第１および第２の剥離ライナー分断部の１つ以上が直線以外のパターンを描いている場合であっても、全体を見た場合に同じような方向に延びているのであれば、これらの分断部の延びる方向は略平行ということができる。
【００３８】
好ましい実施形態において、キャリア分断部は、キャリアの第１の剥離ライナー分断部と第２の剥離ライナー分断部との間に対応する部分に設けられ、さらに好ましくは、第１の剥離ライナー分断部と第２の剥離ライナー分断部との間の略中央に対応する部分に設けられている。このような構成であれば、固定対象器具の外周を被覆する際にキャリアが容易に分断して部分的に剥離するので、被覆しやすく、さらには、残りのキャリアを容易に剥離し得る。キャリア分断部が第１の剥離ライナー分断部と第２の剥離ライナー分断部との間の略中央に対応する部分に設けられている場合の具体例としては、第１および第２の剥離ライナー分断部がキャリア分断部に対応する剥離ライナー部分に対して略線対称に設けられている場合が挙げられる。
【００３９】
キャリアをフィルム基材の表面に剥離可能に積層する方法としては、任意の適切な方法を用いることができる。そのような方法の具体例としては、インフレーション成型、押出ラミネート成型、積層成型、キャスティングが挙げられる。
【００４０】
キャリア分断部は、任意の適切な方法によって形成され得る。例えば、キャリア分断部は、フィルム基材上にその表面を連続して覆うように１枚のキャリアを積層後、切り込みを入れることによって形成され得る。また、例えば、キャリア第１部分およびキャリア第２部分に対応する２枚のキャリアを互いに接するように、または、幅βを隔てるように並べてフィルム基材上に積層することによって形成され得る。
【００４１】
Ｆ．フラップ部
フラップ部６０は、キャリア第１部分とキャリア第２部分とにフラップ（自由端部）を提供して、それぞれ個別に剥離するための掴みしろとなる部分である。そのため、フラップ部は、フラップ部分断部６０ｄにおいて、キャリア第１部分に接合されるフラップ部第１部分６１とキャリア第２部分に接合されるフラップ部第２部分６２とに分断される。フラップ部第１部分６１およびフラップ部第２部分６２はそれぞれ、その一部がキャリアに接合され、残りはフラップとされる。
【００４２】
フラップ部の材料としては、任意の適切な材料が採用され得る。該材料の具体例としては、プラスチックフィルム（例えば、ポリエチレン、ポリプロピレン、ポリエステル、およびこれらの積層複合体等）、紙（例えば、上質紙、クラフト紙等）、不織布が挙げられる。これらのうち、透明に近いプラスチックフィルムや透明性のある紙および目の粗い不織布が好ましい。貼付場所を見ながら当該ドレッシングを貼付することができるので、カテーテル等の医療器具を固定する際には、その有用性が特に顕著となる。フラップ部には、他の層と識別し易いように、有色で透明な着色を施してもよい。
【００４３】
フラップ部分断部からフラップ部の最外端面までの長さは、目的等に応じて適切に設定され得る。該長さは、通常、１０〜３０ｍｍ程度であり、好ましくは１０〜２０ｍｍである。このような範囲であれば、フラップとしての無駄のない適当な掴みしろの長さ（５〜１５ｍｍ程度）が得られ得る。
【００４４】
フラップ部の厚さは、材料の機械的強度、弾性、柔軟性、剛性等に応じて適切に設定され得る。例えば、フラップ部がプラスチックフィルムから形成される場合、その厚さは、１０〜２００μｍ程度が好ましく、２０〜１５０μｍがさらに好ましい。
【００４５】
フラップ部は、上記材料をキャリアに接着剤層７０を介して接着することによって形成され得る。接着剤層は、公知の接着剤または粘着剤から形成され得る。また、熱溶融性を有する材料を接着剤層として用い、ヒートシールにて接着してもよい。
【００４６】
Ｇ．器具の固定方法
上記フィルムドレッシングを用いた器具の固定方法について、以下に説明する。該固定方法は、好ましくは、（１）剥離ライナー第２部分を剥離し、これにより露出する粘着剤層面を固定対象器具の外周に貼付すること、（２）剥離ライナー第１部分および剥離ライナー第３部分を剥離し、これにより露出する粘着剤層面を固定対象部位に貼付すること、および（３）キャリア第１部分およびキャリア第２部分を剥離することを含む。工程（１）において、剥離ライナー第２部分の幅α２が固定対象器具の外周長よりも大きく、外周を完全に被覆しても粘着剤層面が余る場合は、余った両側の粘着剤層面同士を貼り合わせておくことが好ましい。参考として、工程（２）を終えた状態および工程（３）を終えた状態をそれぞれ図５（ａ）および（ｂ）に例示する。
【００４７】
上記の方法によれば、工程（１）において、フィルムドレッシング本体を固定対象器具（代表的には、カテーテル等の医療器具）の側面に空隙を生じることなく、巻きつけることができ、工程（２）において、該器具を生体表面の固定対象部位に押し付けることなく、かつ、空隙を生じることなく固定することができる。上記方法においては、剥離ライナー第１部分および第２部分が、工程（１）では持ちしろとして機能し、工程（２）ではこれらを剥離することにより糊しろが提供される。また、工程（１）において、キャリアがキャリア分断部において分断し、フィルムドレッシング本体が器具の外周の湾曲へ良好に追従するので、操作性が極めて良好である。また、工程（３）においては、図５（ａ）に例示されるようなキャリアの部分的に剥離した部分を掴みしろとして残りのキャリアを容易に剥離することができる。
【実施例】
【００４８】
以下、実施例によって本発明を具体的に説明するが、本発明はこれら実施例によって限定されるものではない。
【００４９】
［実施例１］
二軸延伸ポリプロピレン（ＯＰＰ）フィルムからなる厚さ４０μｍのキャリアに、ポリウレタンからなる厚さ３０μｍのフィルム基材を押出ラミネートした。この積層体のフィルム基材表面に、アクリル系粘着剤よりなる粘着剤層を厚さ３０μｍとなるように設け、キャリアが積層されたフィルムドレッシング本体を得た。次いで、厚さ１００μｍの紙の片面にシリコーン樹脂処理を施して得られた剥離ライナーを、上記キャリアが積層されたフィルムドレッシング本体の粘着剤層面と貼り合わせた。このとき、剥離処理面が粘着剤層側になるように積層した。
【００５０】
上記のようにして得られた積層体を５０ｍｍ×８０ｍｍ（長さ×幅）の長方形に打ち抜いた。打ち抜かれた積層体の剥離ライナーに、長さ方向に平行、かつ、直線的な切り込みを剥離ライナーを完全に分断するように２本入れて、第１および第２の剥離ライナー分断部を形成した。このとき、幅方向の左右の端辺からそれぞれ２．７ｃｍの距離に切り込みを入れた。また、キャリアに、長さ方向に平行、かつ、直線的な切り込みをキャリアを完全に分断するように入れて、キャリア分断部を形成した。このとき、第１の剥離ライナー分断部に対応する部分に切り込みを入れた。上記のようにして形成されたキャリア分断部ならびに第１および第２の剥離ライナー分断部の延びる方向は互いに平行であった。剥離ライナーおよびキャリアへの切り込みは、ダイカットロール等を用いて行った。このようにして、フィルムドレッシング１を得た。フィルムドレッシング１の剥離ライナーおよびキャリアの構成の概略を表１に示す。
【００５１】
［実施例２］
第１の剥離ライナー分断部に対応する部分から第２の剥離ライナー分断部の方向に向かって１．３ｃｍの距離にキャリア分断部を形成したこと以外は実施例１と同様にして、フィルムドレッシング２を得た。フィルムドレッシング２の剥離ライナーおよびキャリアの構成の概略を表１に示す。
【００５２】
［実施例３］
第１の剥離ライナー分断部に対応する部分から第２の剥離ライナー分断部とは反対の方向に向かって１．０ｃｍの距離にキャリア分断部を形成したこと以外は実施例１と同様にして、フィルムドレッシング３を得た。フィルムドレッシング３の剥離ライナーおよびキャリアの構成の概略を表１に示す。
【００５３】
［実施例４］
幅方向の左右の端辺からそれぞれ１．０ｃｍの距離に第１および第２の剥離ライナー分断部を形成したこと、および、第１の剥離ライナー分断部に対応する部分から第２の剥離ライナー分断部の方向に向かって３．０ｃｍの距離にキャリア分断部を形成したこと以外は実施例１と同様にして、フィルムドレッシング４を得た。フィルムドレッシング４の剥離ライナーおよびキャリアの構成の概略を表１に示す。
【００５４】
［比較例１］
キャリア分断部ならびに第１および第２の剥離ライナー分断部を設けなかったこと以外は実施例１と同様にして、フィルムドレッシングｃ１を得た。
【００５５】
【表１】
2011004850.tif 000003
【００５６】
上記フィルムドレッシング１〜４およびｃ１を用いて、シリコーン製チューブ（外径：０．５ｃｍφ、外周長：０．５πｃｍ）を被着体表面に固定し、その際の操作性を評価した。被着体としては、表面にコラーゲンシートを貼り付けた筒（外径：８．８ｃｍφ）を用いた。また、被験者としては、成人男性４人および成人女性４人を採用した。
【００５７】
固定方法は以下のとおりである：
［１］剥離ライナー第２部分を剥離して、露出した粘着剤層面をチューブの外周に巻きつけ、余った粘着剤層面同士を貼り合わせた。
［２］剥離ライナー第１部分および第３部分を剥離して、露出した粘着剤層面を被着体表面（コラーゲンシート表面）に貼付した。
［３］キャリアを剥離した。
なお、各分断部を有さないフィルムドレッシングｃ１（比較例１）については、以下のようにして固定を行った。すなわち、剥離ライナーを全て剥離し、露出した粘着剤層面をチューブの外周に巻きつけ、コラーゲンシート表面に貼付する糊しろ分を除いた残りの粘着剤層面を貼り合わせた。次いで、糊しろ分の粘着剤層面をコラーゲンシート表面に貼付し、その後、キャリアを剥離した。
【００５８】
評価方法は以下のとおりである：
下記表２に示すとおり、比較例１の各項目の評価を基準（３点）とし、該比較例１に対する操作性の優劣を０．５点刻みで評価した。被験者８名の各評価の平均点および標準偏差を表３に示す。
【００５９】
【表２】
2011004850.tif 000004
【００６０】
【表３】
2011004850.tif 000005
【００６１】
表３からわかるとおり、本発明のフィルムドレッシングにおいては、剥離ライナーおよびキャリアに所定の分断部が設けられているので、潰瘍や褥瘡の発症リスクを低減させつつ、固定対象器具を優れた操作性で固定し得る。また、キャリア分断部が第１の剥離ライナー分断部と第２の剥離ライナー分断部との間に対応する部分に設けられる場合や剥離ライナー第２部分の幅α２が所定の関係を満たす場合には、操作性がさらに向上することがわかる。このような効果は、キャリア分断部が、第１の剥離ライナー分断部と第２の剥離ライナー分断部との間の中央に対応する部分に設けられる場合に、特に顕著に奏される。
【産業上の利用可能性】
【００６２】
本発明のフィルムドレッシングは、医療用途に好適に利用され、カテーテル等の医療器具の固定に特に好適に利用され得る。
【符号の説明】
【００６３】
１００        フィルムドレッシング
１００’      フィルムドレッシング
１０          フィルム基材
２０          粘着剤層
３０          剥離ライナー
３１          剥離ライナー第１部分
３２          剥離ライナー第２部分
３３          剥離ライナー第３部分
３０ｄ１      第１の剥離ライナー分断部
３０ｄ２      第２の剥離ライナー分断部
４０          キャリア
４１          キャリア第１部分
４２          キャリア第２部分
４０ｄ        キャリア分断部
５０          フィルムドレッシング本体
６０          フラップ部
６１          フラップ部第１部分
６２          フラップ部第２部分
６０ｄ        フラップ部分断部
７０          接着剤層
Ａ            固定対象器具（カテーテル）
Ｂ            固定対象部位（生体表面）
【図１】
2011004850.tif 000006
【図２】
2011004850.tif 000007
【図３】
2011004850.tif 000008
【図４】
2011004850.tif 000009
【図５】
2011004850.tif 000010
【図６】
2011004850.tif 000011
【図７】
2011004850.tif 000012